(57)【要約】      （修正有）【課題】容器内に収納した果実等がやや大きい場合に、側壁上部が撓むことで収納しても、ラッピングフィルムによって開口部を覆うときの容器の外形・強度を保持する食品包装容器を提供する。【解決手段】フィルム製のカバー材Ｃによって開口部を覆うことで食品Ｆを収納する容器本体１に、食品Ｆを収納したときに外方に撓む収納猶予部１０を容器本体１の側壁２に設ける。収納猶予部１０は、側壁２の上部に容器本体１の下方に窪ませて側壁２に沿って配置形成した凹溝部１２と、この凹溝部１２の内部に、容器本体１内に収納する食品Ｆ相互間の間隙位置に対応した位置で凹溝部１２の幅方向に沿って凹溝部１２を閉塞させて配置形成した規制部１３とを備える。規制部１３は、凹溝部１２の底部から側面視で円弧湾曲状に膨出させて、凹溝部１２上方に出張らせた高さを有し、凹溝部１２の内方側に容器本体１の上方に膨出させて側壁２に沿って配置形成した突条部１１を備える。【選択図】図１
0003204774.tif 000002
【実用新案登録請求の範囲】
【請求項１】
フィルム製のカバー材によって開口部が覆われることで、陳列販売される食品を収納する容器本体の側壁に、食品を収納したときに外方に撓む収納猶予部を設けて成る食品包装容器において、収納猶予部は、側壁の上部に容器本体の下方に窪ませて側壁に沿って配置形成された凹溝部と、この凹溝部の内部に、凹溝部の幅方向に沿って凹溝部を閉塞させて配置形成された規制部とを備えて成ることを特徴とする食品包装容器。
【請求項２】
前記規制部は、容器本体内に収納する食品相互間の間隙位置に対応した位置に配置されている請求項１に記載の食品包装容器。
【請求項３】
前記収納猶予部は、側壁の上部における容器本体の外方側に配置形成した前記凹溝部の内方側に容器本体の上方に膨出させて側壁に沿って配置形成された突条部を備えている請求項１または２に記載の食品包装容器。
【請求項４】
前記規制部は、前記凹溝部の底部から側面視で円弧湾曲状に膨出させて、凹溝部上方に出張らせた高さを有している請求項１乃至３のいずれかに記載の食品包装容器。
【考案の詳細な説明】
【技術分野】
【０００１】
この考案は、主として例えばリンゴ、桃、柿、オレンジ等の果実を陳列販売する際に，これらを包装し保護することができるようにした食品包装容器に関する。
【背景技術】
【０００２】
本出願人は、特許文献１に示されるような、例えばぶどう等の果物を収納して運送用、陳列用に好適となる果実収納容器を提案している。この果実収納容器は、相対向する２組の側壁によって形成された略長方形状の開口部を備えた収納容器において、第１あるいは第２の側壁の開口部縁に沿っている上面に、側壁の上端に沿って形成した補強壁部と、上面の外周に形成したフランジとの間に側壁に沿って連続させて側壁の撓みを吸収変形する凹溝を形成して成る。
【０００３】
この果実収納容器によると、収納した果実の重さが側壁に局部的に作用した場合においても補強壁部によって側壁の広い範囲を弾性的に凹溝内に撓ませることができ、補強壁部によるスプリング効果とも相俟って収納した果実等を容器内で安定的に支持できるようにしているとする。
【先行技術文献】
【特許文献】
【０００４】
【特許文献１】特許第４４６９３８４号公報
【考案の概要】
【考案が解決しようとする課題】
【０００５】
ところが、この特許文献１による果実収納容器では、収納する果実等が容器の内法幅員に比しやや広幅であると、容器内に果実等を収納できても、側壁に沿っている凹溝の全体を容器の外方に大きく撓ませることになって、容器の内方に対するスプリング効果が得られないばかりでなく、容器自体の開口部の周囲が変形し、収納時の安定性が損なわれることがあった。
【０００６】
また、容器自体の開口部周囲が変形してしまうことで、陳列販売時には容器の開口部を例えば透明なラッピングフィルム等で覆うことで収納した果実等を保護するとしても、ラッピングフィルムが歪み、不体裁となり、商品陳列状態が不揃いとなって商品訴求効果が大きく減殺されてしまうこともあった。
【０００７】
そこでこの考案は上述したような従来存した諸事情に鑑み案出されたもので、容器本体内に収納する果実等が容器本体の内法幅員に比しやや大きく、容器本体内に収納したときに容器本体の側壁が外方に膨出しても、側壁の開口部縁に沿って形成されている凹溝部によるスプリング効果を減殺させずに、収納した果実等を確実、安定的に収納保持できると共に、容器本体の開口部をラッピングフィルム等のカバー材で覆う際の容器本体の強度も維持できるようにした食品包装容器を提供することにある。
【課題を解決するための手段】
【０００８】
上述した課題を解決するため、この考案にあっては、後述する考案を実施するための形態における使用符号を付記して説明すると、フィルム製のカバー材Ｃによって開口部が覆われることで、陳列販売される食品Ｆを収納する容器本体１の側壁２に、食品Ｆを収納したときに外方に撓む収納猶予部１０を設けて成る食品包装容器において、収納猶予部１０は、側壁２の上部に容器本体１の下方に窪ませて側壁２に沿って配置形成された凹溝部１２と、この凹溝部１２の内部に、凹溝部１２の幅方向に沿って凹溝部１２を閉塞させて配置形成された規制部１３とを備えて成ることを特徴とする。
前記規制部１３は、容器本体１内に収納する食品Ｆ相互間の間隙位置に対応した位置に配置されることで構成することができる。
前記収納猶予部１０は、側壁２の上部における容器本体１の外方側に配置形成した前記凹溝部１２の内方側に容器本体１の上方に膨出させて側壁２に沿って配置形成された突条部１１を備えて構成することができる。
前記規制部１３は、凹溝部１２の底部から側面視で円弧湾曲状に膨出させて、凹溝部１２上方に出張らせた高さを有して構成することができる。
【０００９】
以上のように構成されたこの考案に係る食品包装容器にあって、容器本体１内に容器本体１の内法幅員に比しやや大きい食品Ｆが収納されたとき、その大きさ分を側壁２に設けた収納猶予部１０の凹溝部１２が撓むことで吸収するとき、凹溝部１２の内部に設けた規制部１３が凹溝部１２における規制部１３部分の撓みを阻止し、容器本体１の外形を維持してカバー材Ｃによって覆うときの強度を保持させる。
収納する食品Ｆ相互間の間隙位置に対応した位置に配置された規制部１３は、凹溝部１２が撓むことで食品Ｆを安定して収納支持させるも、容器本体１の側壁２の撓みを防止して容器本体１の外形を維持し、例えばカバー材Ｃによって覆った状態の体裁を良好にさせる。
収納猶予部１０における規制部１３は、凹溝部１２の上方に出張る高さを有することで、収納した食品Ｆ相互の間隙位置での凹溝部１２の撓みを確実に阻止し、容器本体１の外形を維持させる。
また、収納猶予部１０における容器本体１の内方側に配置形成した突条部１１は、例えば容器本体１の深さに比し浅い高さである食品Ｆである場合に、容器本体１を覆うカバー材Ｃを容器本体１の内方側から支持し、食品Ｆ自体の損傷を防止させる。
【考案の効果】
【００１０】
この考案は以上説明したように構成されているため、容器本体１内に収納した果実等の食品Ｆが容器本体１の内法幅員に比しやや大きい場合には、側壁２に設けた収納猶予部１０における凹溝部１２が外方に撓むことで収納し、規制部１３によって側壁２が容器本体１の外方に出張るのを阻止でき、ラッピングフィルム等のカバー材Ｃによって開口部を覆うとき容器本体１の外形、強度を保持できる。
【００１１】
すなわちこれはこの考案において、カバー材Ｃによって覆われて食品Ｆを収納する容器本体１に、食品Ｆの収納時に外方に撓む収納猶予部１０を側壁２に設けて成り、収納猶予部１０は、側壁２の上部に側壁２に沿って配置形成された凹溝部１２と、この凹溝部１２の内部に、凹溝部１２を閉塞させて配置形成された規制部１３とを備えて成るからである。これによって、食品Ｆ収納時の収納猶予部１０における撓みによる食品Ｆの確実な収納、収納時における側壁２の外方への撓みを阻止しての容器本体１の外形、強度の維持、カバー材Ｃによる覆い時の良好な体裁の維持等を図れる。
【００１２】
また、容器本体１内に収納した食品Ｆが稍大きいものであっても凹溝部１２が撓むことでしっくりと収納させた状態としており、この状態でも、容器本体１内に収納する食品Ｆ相互間の間隙位置に対応して配置された規制部１３によって食品Ｆ相互間の部位では凹溝部１２の撓みを防止することができる。そのため、容器本体１の側壁２自体が外方に膨出されることがなく、容器本体１の外形を維持できることで、例えば食品Ｆを収納した状態で容器本体１をカバー材Ｃによって覆っても体裁が良好であり、陳列販売されるときの商品訴求力を減殺させることもない。
【００１３】
収納猶予部１０における規制部１３は、凹溝部１２の底部から側面視で円弧湾曲状に膨出させて、凹溝部１２上方に出張らせた高さを有しているから、収納猶予部１０において、容器本体１内に食品Ｆを収納したときに凹溝部１２が撓むとき、食品Ｆ相互間の間隙位置では凹溝部１２の撓みを確実に阻止できる。そのため、側壁２自体を容器本体１の外方側に膨出させず、食品Ｆ収納後に容器本体１の開口部をカバー材Ｃにて覆うときに容器本体１が歪んでいることもなく、体裁良く覆うことができ、包装陳列時の商品訴求力を減殺させることもない。
【００１４】
収納猶予部１０における容器本体１の内方側に突条部１１を配置形成してあるから、例えば収納する食品Ｆの高さが容器本体１の高さに比し低い場合でも、容器本体１の開口部を覆うカバー材Ｃを容器本体１の内側から支持すると共に、重ねられて載置されるときの上方位の容器本体１による負荷から食品Ｆを保護できる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す収納状態の一例を示す分解斜視図である。
【図２】同じく平面図である。
【図３】同じく食品収納時の平面図である。
【図４】同じく図２における矢視線部位における断面図である。
【考案を実施するための形態】
【００１７】
以下、図面を参照してこの考案を実施するための一形態を説明すると、図において示される符号１は容器本体であり、所定肉厚の例えば透明合成樹脂フィルムに対する真空成形によって、所定深さで相対向する２組あるいは適数組の長辺、短辺となっている側壁２，３…を備えた平面で丸みを帯びた矩形状あるいは所定の多角形状に形成されている。
【００１８】
この容器本体１は、収納保持する食品Ｆの数量、大きさ等に対応するよう平面形状は適宜に選定されるのであり、図例にあっては例えばリンゴ、桃、柿、オレンジその他の主として球形・ボール状の例えば２個の食品Ｆを収納するのに適した形状となるよう、短辺となっている長手方向の端部の側壁３は食品Ｆの外形に沿う台形状となすことで、全体としてほぼ長細の八角形状に形成されているも、これに限定されるものではない。また、容器本体１は２個の食品Ｆを収納する場合に限らず３個以上の食品Ｆを一列状に並べて収納することもでき、この場合には個数に応じたほぼ長方形状のものとして形成される。
【００１９】
また、この容器本体１の底部５、側壁２，３…等には、適当な形状、配列、深さ等による凹凸部分を形成した適当な補強構造６が施されており、収納した食品Ｆ等によっても容器本体１自体が歪形しないように配慮されている。
【００２０】
容器本体１の開口部には、外方に延設されたフランジ部７が形成されていて、このフランジ部７自体にも適当な形状、配列、深さ等による凹凸部分を形成した適当な補強構造８が施されており、フランジ部７の縁部周囲はこの縁部に沿って凹凸波形状に形成することで、縁部の鋭利性を緩和する緩衝縁部９となしてある。
【００２１】
容器本体１における相対向した長辺となっている１組の側壁２の上部には、容器本体１の幅員に比しやや大きい球形の食品Ｆ等を収納したときに容器本体１の外方に撓むようになっている収納猶予部１０が形成されている。この収納猶予部１０は、側壁２の上部における容器本体１の内方側に容器本体１の上方に膨出させて側壁２に沿って配置形成された突条部１１と、容器本体１の外方側に容器本体１の下方に窪ませて側壁２に沿って配置形成された凹溝部１２と、この凹溝部１２の内部に、容器本体１内に収納する食品Ｆ相互間の間隙位置に対応した位置で凹溝部１２の幅方向に沿って凹溝部１２を閉塞させて配置形成された規制部１３とを備えて成る。
【００２２】
突条部１１は、容器本体１における短辺である側壁３側の端部では次第に低くなる傾斜部分となっていて、突条部１自体は、容器本体１における周縁のフランジ部７とほぼ同一の高さとなっている。
【００２３】
凹溝部１２は、側壁２の上部自体を容器本体１の外方に撓ませるに足る溝幅員と溝深さとを有しており、容器本体１内に収納を予定する食品Ｆにある程度の大小があることを考慮して、特に容器本体１の内法幅員に比しやや大きい球形、幅を有する食品Ｆを、この凹溝部１２が撓むことで収納を許容させるものとしてある（図３参照）。
【００２４】
規制部１３は、収納する食品Ｆによって凹溝部１２が撓むとき、凹溝部１２における規制部１３部位、これの近傍部位等の撓みを阻止して容器本体１の外形を保持するものとしてあり、図示のように凹溝部１２の底部から側面視で円弧湾曲状に膨出させて、凹溝部１２上方に出張らせた高さ、例えばフランジ部７とほぼ同一の高さを有するものとして形成してある。この規制部１３位置では、凹溝部１２が撓むことはなく、撓むことによる食品Ｆの収納許容性は消失している。
【００２５】
また、この規制部１３の配置箇所は、例えば図３に示すように収納する食品Ｆの相互間の間隙位置に対応しているのであり、図示のように容器本体１に２個の食品Ｆを収納する場合には長辺の側壁２のほぼ中央位置に設けられる。図示を省略したが容器本体１に３個の食品Ｆを収納する場合には側壁２のほぼ１／３の位置に計２個で設けられ、４個以上である場合にも同様に配置されるようにしてある。
【００２６】
次に以上に説明したように構成されているこの考案に係る食品包装容器の使用の一例を説明すると、図１に示すように、容器本体１内に所定の例えばリンゴ、桃等の果実を必要に応じてクッション材にて包覆した状態で収納し、容器本体１の開口部には、ラッピングフィルムによるカバー材Ｃを被せて覆い、箱詰め等して輸送し、また陳列販売される。尚、図１に示すように、カバー材Ｃは巻回保管されていて、適宜に切断される長尺フィルムシート状である場合、端部に接着剤が塗布されている等してある単体シート状である場合等のいずれであっても良い。
【００２７】
容器本体１内に食品Ｆを収納するに際し、容器本体１の内法幅員に比して食品Ｆがやや大きいときでも、収納猶予部１０における凹溝部１２が撓むことで収納でき、側壁２自体が外方に膨れることがなく、また収納した食品Ｆの間隙位置では規制部１３が外方への撓みを阻止していることで容器本体１の外形状は維持され、カバー材Ｃによって覆った後の容器本体１の強度を保持している。
【符号の説明】
【００２８】
Ｃ…カバー材                            Ｆ…食品
１…容器本体                            ２…側壁
３…側壁                                ５…底部
６…補強構造                            ７…フランジ部
８…補強構造                            ９…緩衝縁部
１０…収納猶予部                        １１…突条部
１２…凹溝部                            １３…規制部
【図１】
0003204774.tif 000003
【図２】
0003204774.tif 000004
【図３】
0003204774.tif 000005
【図４】
0003204774.tif 000006